(57)【要約】【課題】植物の成長を阻害せず、安価で、風への抵抗が良好なツリーシェルターを提供することを提供すること。【解決手段】二つの底面を連通する中空の柱状体であるシェルター本体部３０と、シェルター本体部３０の外周部に括り付けた支持体部２０と、を備え、シェルター本体部３０が、板紙からなり、シェルター本体部３０の側面に、複数の採光孔１１を設けたツリーシェルター１００である。【選択図】図１
2019180336.tif 000002
【特許請求の範囲】
【請求項１】
二つの底面を連通する中空の柱状体であるシェルター本体部と、前記シェルター本体部の外周部に括り付けた支持体部と、を備え、
前記シェルター本体部が、板紙からなり、
前記シェルター本体部の側面に、複数の採光孔を設けたツリーシェルター。
【請求項２】
前記採光孔の比率が、前記シェルター本体部の側面の総面積に対して、２０〜６０％である請求項１に記載のツリーシェルター。
【請求項３】
前記採光孔の直径の大きさが、０．５〜４ｃｍである請求項１又は２に記載のツリーシェルター。
【請求項４】
前記シェルター本体部が、忌避剤を含有する板紙からなる請求項１〜３のいずれか１項に記載のツリーシェルター。
【請求項５】
前記シェルター本体部に、忌避色が着色された板紙からなる請求項１〜４のいずれか１項に記載のツリーシェルター。
【請求項６】
前記採光孔を、地面に立設した際の底面から１０ｃｍ以上の高さの領域に設けた請求項１〜５のいずれか１項に記載のツリーシェルター。
【請求項７】
苗木を苗床に移植するとともに、
前記苗木を囲うように、請求項１〜６のいずれか１項に記載のツリーシェルターを前記苗床に設置して、樹木を生育させる、樹木の製造方法。
【発明の詳細な説明】
【技術分野】
【０００１】
本発明は、ツリーシェルター及び樹木の製造方法に関する。
【背景技術】
【０００２】
従来、苗木を植林した場合、鹿等の動物が新芽、葉あるいは茎を食べたりすることによる獣害や、苗木が再生する雑草木の成長に負け、光不足による被覆害が生ずるという問題があった。
【０００３】
苗木の成長促進とシカなどの草食獣による食害防止等のために、ツリープロテクタを苗木に被せて使用することが提案されている（例えば、特許文献１参照）。該ツリープロテクタは、半透明の樹脂材料（例えば、ポリプロピレン。以下、「ＰＰ」と略記する）からなり、円筒状に形成される。該ツリープロテクタは、苗木の上方から被せ、地面に打ち込んだ支柱と括りつけて固定することにより、獣害を防止しつつ、苗木を最適温湿度に維持して、植物の成長を促進する。
なお、ツリープロテクタは、ツリーシェルターとも呼称される。
【先行技術文献】
【特許文献】
【０００４】
【特許文献１】特開２０１３−４２７２０号公報
【発明の概要】
【発明が解決しようとする課題】
【０００５】
ＰＰ製のツリーシェルターは、６００円／個と値段が高いため、苗木がある程度成長した後は回収して再利用することが望ましい。しかしながら、通常の植林方法においては、苗木を植林してから伐採まで、数年ないしは数十年放置することが通常である。そのため、ＰＰ製のツリーシェルターを用いる場合、回収のための人的コストの負担が増加する。
【０００６】
本発明者等は、耐水性の機能性板紙（商品名「Ｎ  三菱耐水」（三菱製紙社製）をＰＰ製のツリーシェルターの代替として検討した。しかしながら、機能性板紙を円筒状に加工して被せて場合、光量不足から植物は成長しなかった。また、機能性板紙製のツリーシェルターは、ＰＰ製のツリーシェルターに比べて耐久性が劣るため、害獣による採食の防止効果や風への抵抗も劣ると考えられる。
【０００７】
本発明の課題は、植物の成長を阻害せず、安価で、風への抵抗が良好なツリーシェルターを提供することである。
【課題を解決するための手段】
【０００８】
本発明者らは、上記課題について鋭意検討した結果、機能性板紙に採光孔を設けることにより、上記の課題を解決できることを見出し、本発明を完成するに至った。また、忌避剤を含有することにより、食害率を低減し得ることを見出した。
即ち、本発明者らは、下記の〔１〕〜〔７〕を提供する。
〔１〕二つの底面を連通する中空の柱状体であるシェルター本体部と、前記シェルター本体部の外周部に括り付けた支持体部と、を備え、前記シェルター本体部が、板紙からなり、前記シェルター本体部の側面に、複数の採光孔を設けたツリーシェルター。
〔２〕前記採光孔の比率が、前記シェルター本体部の側面の総面積に対して、３０〜５０％である上記〔１〕に記載のツリーシェルター。
〔３〕前記採光孔の直径の大きさが、０．５〜４ｃｍである上記〔１〕又は〔２〕に記載のツリーシェルター。
〔４〕前記シェルター本体部が、忌避剤を含有する板紙からなる上記〔１〕〜〔３〕のいずれかに記載のツリーシェルター。
〔５〕前記シェルター本体部に、忌避色が着色された板紙からなる上記〔１〕〜〔４〕のいずれかに記載のツリーシェルター。
〔６〕前記採光孔を、地面に立設した際の底面から１０ｃｍ以上の高さの領域に設けた上記〔１〕〜〔５〕のいずれかに記載のツリーシェルター。
〔７〕苗木を苗床に移植するとともに、前記苗木を囲うように、上記〔１〕〜〔６〕のいずれかに記載のツリーシェルターを前記苗床に設置して、樹木を生育させる、樹木の製造方法。
【発明の効果】
【０００９】
本発明によれば、植物の成長を阻害せず、安価で、風への抵抗が良好なツリーシェルターを提供することができる。
【図面の簡単な説明】
【００１０】
【図１】図１は、本発明のツリーシェルターの一実施形態を示す模式図である。
【図２】図２は、本発明のツリーシェルターの他の実施形態を示す模式図である。
【図３】図３は、本発明のツリーシェルターのさらに他の実施形態を示す模式図である。
【図４】図４は、比較例３及び６のツリーシェルターの一実施形態を模式図である。
【発明を実施するための形態】
【００１１】
以下、本発明をその好適な実施形態に即して詳細に説明する。
【００１２】
［１．ツリーシェルター］
本発明のツリーシェルターは、二つの底面を連通する中空の柱状体であるシェルター本体部と、シェルター本体部の外周部に括り付けた支持体部とを備え、シェルター本体部が、板紙からなり、シェルター本体部の側面に、複数の採光孔を設けている。
シェルター本体部が、板紙からなるため、安価なツリーシェルターを提供し得る。また、シェルター本体部の側面に複数の採光孔を設けているため、光量不足からの植物の成長を阻害しないツリーシェルターを提供し得る。
【００１３】
先ず、図面を参照しつつ本発明のツリーシェルターを説明する。図１は、本発明のツリーシェルター１００の一実施形態を示す模式図である。図１において、ツリーシェルター１００は、二つの底面を連通する中空の柱状体であるシェルター本体部３０と、シェルター本体部３０の外周部に括り付けた支持体部２０とを備える。支持体部２０は、シェルター本体部３０の外周部で、採光孔１１を介して連結部材２１により括りつけられている。シェルター本体部の側面には、複数の採光孔１１が設けられている。
【００１４】
図２は、本発明のツリーシェルター１０１の他の実施形態を示す模式図である。図２において、ツリーシェルター１０１は、二つの底面を連通する中空の柱状体であるシェルター本体部３０と、シェルター本体部３０の外周部に括り付けた支持体部２０とを備える。支持体部２０は、シェルター本体部３０の外周部で、採光孔１１を介して連結部材２１により括りつけられている。シェルター本体部の側面には、複数の採光孔１１が設けられている。
なお、ツリーシェルター１０１は、図１のツリーシェルター１００と、地面に立設した際の底面から所定の高さ以上の領域に複数の採光孔１１が設けられている点で相違する。
【００１５】
図３は、本発明のツリーシェルター１０２のさらに他の実施形態を示す模式図である。図３において、ツリーシェルター１０２は、二つの底面を連通する中空の柱状体であるシェルター本体部３０と、シェルター本体部３０の外周部に括り付けた支持体部２０とを備える。支持体部２０は、シェルター本体部３０の外周部で連結部材２２により括りつけられている。シェルター本体部の側面には、複数の採光孔１２が設けられている。
なお、ツリーシェルター１０２は、図１のツリーシェルター１００と、支持体部２０が、シェルター本体部３０の外周部で、採光孔１１を介さずに連結部材２２により括りつけられている点と、側面の短手方向の端にのみ複数の採光孔１２が設けられている点で相違する。
以下、各構成部材について説明する。
【００１６】
（シェルター本体部）
シェルター本体部は、耐水性の板紙からなり、二つの底面を連通する中空の柱状体である。また、シェルター本体部の側面に、複数の採光孔が設けられている。
板紙は、その長手方向に折りたたみ可能な一体構造物であってもよく、その長手方向に切断された展開構造物であってもよい。一体構造物である場合、苗木を植林した後、苗木の上からかぶせることでシェルター本体部を設置し得る。展開構造物である場合、苗木を植林した後、苗木の側面を囲うように展開構造物を配置し、長手方向の切断面をあわせることでシェルター本体部を設置し得る。展開構造物の切断面をあわせる場合、テープ等で補強してあわせることもできるし、シェルター本体部と支持体部の連結部材であわせることもできる。これらの中でも、山林の急斜面に苗床が設けられることによる足場の不安定さや設置の容易さの観点から、長手方向に折りたたみ可能な一体構造物が好ましい。
【００１７】
シェルター本体部は、その底面が円や楕円等の円柱体であってもよく、その底面が四角形等の角柱体であってもよい。複数の採光孔を設ける点に鑑みると、角柱体であることが好ましい。
なお、図１〜３において、シェルター本体部３０の底面は四角形である。しかしながら、底面の形状は斯かる形状の限定されるものではなく、六角形や八角形等の形状であってもよい。
【００１８】
シェルター本体部の長手方向の長さ（ツリーシェルター設置時の高さに対応する）は、新芽や葉を草食獣が食べられない程度に苗木の成長を保護する程度が好ましい。そのため、苗床がある地域に生息する動物の種類により異なる。一例として、シカを対象とする場合、シェルター本体部の長手方向の長さは、６０〜２００ｃｍ程度である。１４０ｃｍ以上であると、シカによる食害率をより低減し得る。
【００１９】
シェルター本体部の中空部分の大きさは、苗木の成長の点や持ち運びの観点から適宣設定し得る。シェルター本体部が、その底面が円である円柱体である場合、直径が５〜２０ｃｍ程度である。１０ｃｍ以上であると、苗木の成長時に、根元径の成長が不足する事態を防止し得るためより好ましい。また、シェルター本体部が、その底面が正方形である角柱体である場合、一辺が１０〜２０ｃｍ程度である。１５ｃｍ以上であると、苗木の成長時に、根元径の成長が不足する事態を防止し得るためより好ましい。
【００２０】
シェルター本体部の側面には、複数の採光孔が設けられている。採光孔の形状は、苗木に光を照射し得る形状である限り、特に限定されない。例えば、円形や正方形等が挙げられる。
ＰＰ製のツリーシェルターは、透明又は半透明であるため、採光孔を設ける必要がない。加えて、ＰＰ製のツリーシェルターに採光孔を設ける場合、採光孔からの食害が発生するため、好ましくない。
【００２１】
採光孔の比率は、シェルター本体部の側面の総面積に対して、２０〜６０％が好ましく、３０〜５０％がより好ましい。２０％以上であると、光量不足による植物の生長の阻害を防止し得る。また、過度の気温の変動による植物の枯死も防止し得る。一方、６０％以下であると、耐久性があり、害獣による採食を防止し得る。また、風による倒木も防止し得るとともに、紫外線の影響も緩和し得る。
【００２２】
１個の採光孔の直径の大きさは、０．５〜４ｃｍが好ましく、１〜３ｃｍがより好ましい。０．５ｃｍ以上であると、光量不足による植物の生長の阻害を防止し得る。また、過度の気温の変動による植物の枯死も防止し得る。一方、４ｃｍ以下であると、害獣による採食を防止し得る。また、風による倒木も防止し得るとともに、紫外線の影響も緩和し得る。
なお、ここでいう「採光孔の直径の大きさ」とは、採光孔の形状によって異なる。例えば、採光孔が、円形である場合、その直径をいい、正方形である場合、その一辺の長さをいう。
【００２３】
採光孔は、図１及び３に示すように、シェルター本体部３０の側面の長手方向に亘って一律に設けてもよく、図２に示すように、地面に立設した際の底面から所定の高さ以上の領域に設けてもよい。また、図示はしないが、採光孔は、シェルター本体部の側面の長さ方向に、散乱して設けられてもよく、市松模様を呈するように設けられてもよい。中でも、図２に示すように、採光孔１１は、地面に立設した際の底面から所定の高さ以上の領域に設けることが好ましい。このように採光孔１１を設けることで、ツリーシェルターの内部の領域では雑草に日が当たることがなく、苗木のみに日光を照射し得、成長を促進し得る。また、ネズミ等の小動物による食害をより低減し得る。
ここで、所定の高さは、１０ｃｍ以上が好ましく、３０ｃｍ以上がより好ましい。
なお、図１〜３において、採光孔１１、１２は、シェルター本体部３０の側面の短手方向に沿って１側面に２個ずつ設けられているが、苗木に光を照射し得る限り、数に限定はない。
【００２４】
シェルター本体部は、忌避剤を含有する板紙からなることが好ましい。忌避剤は、害獣を忌避するものであればよく、市販品を用い得る。忌避剤の市販品としては、「Ｒ−７３１」（日本化薬社製）、「ラットデンＷ」（住化エンバイロメンタルサイエンス社製）等が挙げられる。かかる忌避剤を含有することで、シェルター本体部の採光孔からの苗木の食害をより効果的に防止し得る。
忌避剤を含有する板紙は、例えば、製紙前の原料に忌避剤を配合してから、製紙することにより製造する方法や、製紙後の板紙に忌避剤を塗工する方法により製造することができる。
また、シェルター本体部に、害獣が好まない忌避色で着色を施してもよい。斯かる着色としては、赤色、青色等が挙げられる。
【００２５】
（支持体部）
支持体部は、シェルター本体部の外周部に括り付けるものである。支持体部を苗床の地面に埋設することにより、ツリーシェルターが倒れることを防止し得る。
図１〜図３において、支持体部２０は、シェルター本体部３０の外周部の対角上に２つ設置されている。本発明においては、支持体部の数は２本に限定されるものではなく、ツリーシェルターを鉛直方向に設置し得る数であればよい。また、支持体部の配置も対角上である必要はない。さらに、図１〜図３において、支持体部２０は、シェルター本体部３０の上部底面から上方に伸びているが、ツリーシェルター１００、１０１、１０２を鉛直方向に設置し得る限り、ツリーシェルターの上部底面に到達しない長さであってもよい。但し、苗床の地面に埋設する必要があるため、支持体部２０は、シェルター本体部３０の下部底面から下方に伸びる必要はある。
【００２６】
図１〜図２において、支持体部２０は、シェルター本体部３０に設けられた採光孔１１を介して、結束バンド等のバンド部材の連結部材２１で括りつけられている。図示はしないが、連結部材は、採光孔とは異なる孔を設け、そこを介して支持体部２０とシェルター本体部３０を括りつけてもよい。また、図３に示すように、支持体部２０は、シェルター本体部３０と採光孔１１を介さずに、布テープ等のテープ部材の連結部材２１で括りつけてもよい。
連結部材は、上記に例示したものに限定されず、紐等であってもよい。
なお、図１〜図３において、連結部材２１、２２の位置を限定するものではなく、支持体部２０とシェルター本体部３０を括り付けることができる限り、配置に限定はない。
【００２７】
［２．樹木の製造方法］
本発明の樹木の製造（生産）方法は、苗木を苗床に移植するとともに、苗木を囲うように、上記のツリーシェルターを苗床に設置して、樹木を生育させる、方法である。ツリーシェルターは、シェルター本体部が、板紙からなるため、安価である。そのため、苗木の成長に伴って、途中でツリーシェルターを回収する必要がなく、ＰＰ製のツリーシェルターとは異なり、回収にかかる人件費を抑制し得る。
【００２８】
苗木の種類としては、特に限定されず、例えば、スギ、ヒノキ、マツ、ユーカリ、アカシア、ヤマモモ、クヌギ、ブドウ、リンゴ、サクラ、バラ、ツバキ、ウメ等の木本植物が挙げられる。
【実施例】
【００２９】
以下、本発明を実施例により詳細に説明する。以下の実施例は、本発明を好適に説明するためのものであって、本発明を限定するものではない。
【００３０】
（実施例１）
機能性板紙（三菱製紙社製、Ｎ  三菱耐水  ３５０ｇ／ｍ２）を、１５０ｃｍ（高さ）×１５ｃｍ（底面の辺）×１５ｃｍ（底面の辺）の底面が正方形の四角柱状に加工し、直径２ｃｍの円状の採光孔を、表面積あたり３０％の割合で均一に８６０ヶ所空けたツリーシェルターを作製した。
２０１５年１１月３日に１年生のスギコンテナ苗をシカの生息する山林に５０本植栽し、同時に作製したツリーシェルターをいぼたけ２本に括り付けて設置した。１年間後に苗高、根元径及び食害数を測定した。なお、成長性については、比較例１の苗高と根元径を基準に百分率を算出した。忌避効果に関しては、食害数／植栽数を食害率として算出した。風への抵抗性は、倒伏数が２０％以下の場合を「○」と評価し、２１％以上の場合を「×」と評価した。結果を表１に記す。
【００３１】
（実施例２）
採光孔を表面積あたり５０％の割合で均一に１４３３ヶ所設けたこと以外、実施例１と同様にしてツリーシェルターを作製し、苗高、根元径及び食害数を測定した。結果を表１に記す。
【００３２】
（実施例３）
ツリーシェルターの表面に、マイクロカプセル状害獣忌避剤（日本化薬社製、Ｒ−７３１）を１０％ポリビニルアルコール（商品名「ＰＶＡ１１７」、クラレ製）水溶液に分散させた塗布剤（重量比１：１）を２ロールサイズプレス装置にて２．０ｇ／ｍ２したこと以外、実施例１と同様にしてツリーシェルターを作製し、苗高、根元径及び食害数を測定した。結果を表１に記す。
【００３３】
（比較例１）
ツリーシェルターを設置しなかったこと、及び成長性の値を１００％として基準とした以外、実施例１と同様にして、食害数を測定した。結果を表１に記す。
【００３４】
（比較例２）
高さが１４０ｃｍ、一辺が６ｃｍの六角柱型のポリプロピレン（ＰＰ）製のツリーシェルター（ハイトカルチャ社製、ヘキサチューブ）を使用したこと以外、実施例１と同様にして苗高、根元径及び食害数を測定した。結果を表１に記す。
【００３５】
（比較例３）
図４に示すように採光孔を設けなかったツリーシェルター１０３を用いたこと以外、実施例１と同様にして苗高、根元径及び食害数を測定した。結果を表１に記す。
【００３６】
【表１】
2019180336.tif 000003
【００３７】
紙製のツリーシェルターに採光孔を設けることで、成長性、忌避効果が良好なツリーシェルターを作製することができた（実施例１〜３）。また、表面積あたりの採光孔の割合増加すると、忌避効果は若干低下するが、成長性は良好であった（実施例２）。ツリーシェルターの表面に害獣忌避剤を抄き込むことで、忌避効果をさらに向上することができた（実施例３）。さらに、採光孔を設けることで、風への抵抗性も良好になった。
一方、ツリーシェルターを設置しない場合、忌避効果を得ることができなかった（比較例１）。また、ＰＰ製のツリーシェルターに採光孔を設けない場合、風への抵抗性が悪かった（比較例２）。そして、紙製のツリーシェルターに採光孔を設けない場合、光量が不足するため、植物が枯死した（比較例３）。
【００３８】
（実施例４）
機能性板紙（三菱製紙社製、Ｎ  三菱耐水  ３５０ｇ／ｍ２）を、１５０ｃｍ（高さ）×１５ｃｍ（底面の辺）×１５ｃｍ（底面の辺）の底面が正方形の四角柱状に加工し、直径２ｃｍの円状の採光孔を、表面積あたり３０％の割合で均一に８６０ヶ所空けたツリーシェルターを作製した。
２０１５年１１月３日に１年生のヒノキコンテナ苗をシカの生息する山林に５０本植栽し、同時に作製したツリーシェルターをいぼたけ２本に括り付けて設置した。１年間後に苗高、根元径及び食害数を測定した。なお、成長性については、比較例４の苗高と根元径を基準に百分率を算出した。忌避効果に関しては、食害数／植栽数を食害率として算出した。風への抵抗性は、倒伏数が２０％以下の場合を「○」と評価し、２１％以上の場合を「×」と評価した。結果を表２に記す。
【００３９】
（実施例５）
採光孔を表面積あたり５０％の割合で均一に１４３３ヶ所設けたこと以外、実施例４と同様にしてツリーシェルターを作製し、苗高、根元径及び食害数を測定した。結果を表２に記す。
【００４０】
（実施例６）
ツリーシェルターの表面に、マイクロカプセル状害獣忌避剤（日本化薬社製、Ｒ−７３１）を１０％ポリビニルアルコール（商品名「ＰＶＡ１１７」、クラレ製）水溶液に分散させた塗布剤（重量比１：１）を２ロールサイズプレス装置にて２．０ｇ／ｍ２塗工したこと以外、実施例４と同様にしてツリーシェルターを作製し、苗高、根元径及び食害数を測定した。結果を表２に記す。
【００４１】
（比較例４）
ツリーシェルターを設置しなかったこと、及び成長性の値を１００％として基準とした以外、実施例４と同様にして、食害数を測定した。結果を表２に記す。
【００４２】
（比較例５）
高さが１４０ｃｍ、一辺が６ｃｍの六角柱型のポリプロピレン（ＰＰ）製のツリーシェルター（ハイトカルチャ社製、ヘキサチューブ）を使用したこと以外、実施例４と同様にして苗高、根元径及び食害数を測定した。結果を表２に記す。
【００４３】
（比較例６）
図４に示すように採光孔を設けなかったツリーシェルター１０３を用いたこと以外、実施例４と同様にして苗高、根元径及び食害数を測定した。結果を表２に記す。
【００４４】
【表２】
2019180336.tif 000004
【００４５】
紙製のツリーシェルターに採光孔を設けることで、成長性、忌避効果が良好なツリーシェルターを作製することができた（実施例４〜６）。また、表面積あたりの採光孔の割合増加すると、忌避効果は若干低下するが、成長性は良好であった（実施例５）。ツリーシェルターの表面に害獣忌避剤を抄き込むことで、忌避効果をさらに向上することができた（実施例６）。
一方、ツリーシェルターを設置しない場合、忌避効果を得ることができなかった（比較例４）。また、紙製のツリーシェルターに採光孔を設けない場合、光量が不足するため、植物が枯死した（比較例６）。
【符号の説明】
【００４６】
１１，１２：採光孔、２０：支持体部、２１，２２：連結部材、３０：シェルター本体部、１００、１０１，１０２，１０３：ツリーシェルター
【図１】
2019180336.tif 000005
【図２】
2019180336.tif 000006
【図３】
2019180336.tif 000007
【図４】
2019180336.tif 000008